(57)【特許請求の範囲】
【請求項１】
複数の商品に関する商品情報をレシートに印字する印字部と、
複数の前記商品情報を呼び出し、商品を特定する商品特定データと商品の価格を示す商品価格データとを含む必須出力事項と、商品の詳細な情報を示す詳細出力事項とを同じレシートに印字させる制御を行う制御部と、
を備えたレジスターであって、
前記詳細出力事項は、賞味期限を含み、
前記制御部は、前記詳細出力事項を、前記必須出力事項とは異なる位置に、賞味期限の早い順に共通の賞味期限を有するグループ毎に印字させる、
レジスター。
【請求項２】
前記制御部は、商品情報が商品及び商品の包装に付されていない商品に関する商品情報を、対面販売において商品の販売を行う際に、レシートに印字して出力させる、
請求項１に記載のレジスター。
【請求項３】
前記制御部は、前記詳細出力事項を、前記必須出力事項の後方に出力させる、
請求項１又は２に記載のレジスター。
【発明の詳細な説明】
【０００１】
【発明の属する技術分野】
本発明は、レジスター、特に、複数の商品に関する商品情報を呼び出して出力することのできるレジスターに関する。
【０００２】
【従来の技術】
商店やスーパーマーケット、百貨店などでは、消費者が商品を購入する際に、レジスターやＥＣＲ端末、ＰＯＳ端末などの商品情報出力装置を使って店舗側がレシートを発行する。ＥＣＲとは、「Electronic Cash Register 」の略であり、ＰＯＳとは、「Point of Sale 」の略である。これらの商品情報出力装置は、消費者が購入する各商品に対応する価格等の商品情報を呼び出して、それらを集計した上でレシートを印字発行する。このレシートには、商品名と価格、消費税を除いた小計、消費税、消費税を含む売上合計金額などが印字される。
【０００３】
【発明が解決しようとする課題】
従来の商品情報出力装置は、上記のようなレシートを発行する機能を有しているが、そこには商品名や価格等の必須事項のみが記載されている。このように必須事項のみを記載することで、購入した商品の金額等の消費者による確認行為を容易なものにしている。すなわち、消費者は、レシートに必須事項のみが印字され余分な印字が挟まれていないため、確認したい金額等の情報を容易に把握することができる。
【０００４】
一方、商品の安全性に対する客の関心が高まっている最近では、レシートに商品名や価格以外の商品の詳細情報を印字することが望ましいとも考えられる。しかしながら、各商品に対して価格以外の情報をも印字するとすれば、レシートが長くなり、消費者が金額の確認を行う際に長いレシートの上から下までを見なければならなくなる。これでは、ある消費者にとっては良くても、ある消費者にとっては見難いレシートとなってしまう。
【０００５】
また、対面販売を行う商店やスーパーマーケット内の対面販売コーナーで使われる商品情報出力装置、例えば、計量機能付きレジスターなどでも、上記のように商品名や価格等の必須事項のみが記載されたレシートが発行されている。しかし、対面販売では、肉や総菜といった商品がその場でラッピングされ、価格や賞味期限、添加物といった商品情報が印字されたラベルが貼られていない状態で商品が販売されることもある。この場合には、ショーケースに付されている商品情報を消費者が覚えていなければ、家に帰ってから消費者が商品名や価格以外の商品情報を確認することができない。
【０００６】
本発明の課題は、商品名や価格といった必須の商品情報に加えて商品の詳細情報が出力され、且つ消費者にとって出力内容が見やすいものとなるレジスターを提供することにある。
【０００７】
【課題を解決するための手段】
請求項１に係るレジスターは、出力部と、制御部とを備えている。出力部は、複数の商品に関する商品情報を出力する。制御部は、複数の商品情報を呼び出して、必須出力事項と、詳細出力事項とを同じレシートに印字させる制御を行う。必須出力事項は、商品を特定する商品特定データと、商品の価格を示す商品価格データとを含んでいる。詳細出力事項は、賞味期限を含み、商品の詳細な情報を示す。また、制御部は、詳細出力事項を、必須出力事項とは異なる位置に、賞味期限の早い順に共通の賞味期限を有するグループ毎に印字させる。
【０００８】
請求項２に係るレジスターは、請求項１に記載のレジスターであって、制御部は、商品情報が商品及び商品の包装に付されていない商品に関する商品情報を、対面販売において商品の販売を行う際に、レシートに印字して出力させる。すなわち、本請求項に係るレジスターは、対面販売において使用される装置である。
【０００９】
対面販売では、商品情報が商品及びその包装に付されていない商品が販売されることがあるが、ここでは商品販売の際に商品情報をレシートに印字出力させる。このため、商品購入者は、ショーケースなどに付されている商品情報を忘れてしまった場合にも、家に帰ってから購入商品の必須出力事項及び詳細出力事項を確認することができるようになる。特にここでは詳細出力事項が必須出力事項とは異なる位置に出力されているため、必須出力事項も詳細出力事項も容易に確認することが可能である。
【００１０】
請求項３に係るレジスターは、請求項１又は２に記載のレジスターであって、制御部は、詳細出力事項を、必須出力事項の後方に出力させる。
【００１１】
ここでは、出力を見る人がまず必須出力事項を確認できるように、詳細出力事項を必須出力事項の後方に出力させている。
【００１２】
【発明の実施の形態】
［第１実施形態］
本発明の一実施形態である計量機能付きの計量レジスター（商品情報出力装置）の外観斜視図を図１に示す。この計量レジスター１は、精肉や総菜などを対面販売する店舗で使われる。
【００１３】
＜計量レジスターの概略構成＞
この計量レジスター１は、ほぼ直方体状の本体２を有している。本体２の側面手前側には、操作パネル３が設けられている。この操作パネル３は、販売員に対するデータ表示のためのタッチパネル式の液晶表示画面３１を含んでいる。また、操作パネル３には、選択した商品に関する各種のデータ（商品情報）を呼び出すための呼出キー３２、商品を選択するためのテンキー３３、表示画面３１を直接タッチすることによって商品名を指定し商品に関するデータを呼び出すためのＰＬＵ（Price Look Up）キー３４等が設けられている。
【００１４】
また、本体２の上部には、商品の重量を検出するための計量部５０が設けられている。計量部５０は、図１に示す計量台５０ａ、及びこの計量台５０ａの下方に設けられたロードセル等（図示せず）から構成されている。
【００１５】
さらに、本体２の内部の正面視右側（図１の右側）には、レシートを発行するためのレシート印字発行部６０が設けられている。そして、操作パネル３の右側方にはレシートを発行するレシート発行口６１が形成されており、このレシート発行口６１からレシートが排出される。レシート印字発行部６０は、ロール状のレシート用紙が収納されたレシート収納部と、レシート収納部からレシートを引き出すとともにレシート発行口６１までレシートを搬送する搬送機構と、レシートに対して印字を行う印字部とを備えている。
【００１６】
＜計量レジスターの制御＞
図２は、計量レジスター１の概略制御ブロック図である。計量レジスター１の制御を司る制御部４０は、本体２の内部に配置されている。この制御部４０は、主として、ＣＰＵ４１，ＲＯＭ４２，ＲＡＭ４３，ＨＤＤ（ハードディスク）４４等を有するマイクロコンピュータから構成されている。そして、この制御部４０には、操作パネル３、表示画面３１、計量部５０、レシート印字発行部６０などが接続されている。
【００１７】
ＨＤＤ４４内には、各商品のデータを記憶する商品情報ファイル４８が存在している。この商品情報ファイル４８には、操作パネル３から入力された商品情報、あるいは店舗内ネットワークを介して店舗の中央制御装置であるストアコントローラから得た商品情報が記憶されている。商品情報ファイル４８内に納められる具体的なデータの種類としては、商品Ｎｏ．（商品呼出番号）、商品名（品名）、商品コード、単価、賞味期限、保存方法、原産地名、材料、遺伝子組み換えの有無、添加物、食品加工の有無、有機農法の有無、風袋重量、その商品のレシートに印字するメッセージなどがあるが、商品によってはデータの種類が限られるものもある。
【００１８】
以上のような構成を有する計量レジスター１は、対面販売に用いられる。消費者から商品の注文が有ると、販売員はＰＬＵキー３４によってその商品に関するデータを呼び出すか、あるいはその商品に応じた呼出番号をテンキー３３から入力し、その商品に関するデータを商品情報ファイル４８から呼び出す。呼び出されたデータは、図３に示すように、表示画面３１に表示される。
【００１９】
次に、販売員は、対象商品をその風袋とともに計量台５０ａの上に載置する。これにより商品の計量が行われるとともに、その商品の単価データ及び風袋重量データと計量結果である重量データとから、計量台５０ａ上に載置されている商品の価格が演算される。この重量（風袋を除いた正味重量）及び価格は、表示画面３１に表示される。そして、消費者の注文に応じて商品の量の増減等を行い、その商品の計量作業が終了すると、消費者の次の注文を受ける。
【００２０】
別の商品に対して消費者から注文があれば、上記のようにその商品に関するデータを呼び出し、同様に計量作業を行う。
【００２１】
このようにして消費者からの全ての注文に対する計量作業を終えると、レシートを発行するために、操作パネル３内の印字キーを押す。すると、図４に示すようなレシートが印字発行される。
【００２２】
この図４に示すレシートは、総菜を販売する店舗、あるいはスーパーマーケットや百貨店の総菜を販売するコーナーで消費者に渡すレシートである。このレシートの上部には、従来のレシートと同様に、簡単な店舗からのメッセージや店舗名などの表示に続いて、商品名や商品Ｎｏ．とともに商品の重量（あるいは内容量、個数など）及び値段が印字されている。そして、各商品の値段に続けて、値段の小計、外税、及び合計が印字されている。これらの商品名（商品特定データ）、商品の値段、小計、外税、合計（商品価格データ）といった印字データは、消費者が買った商品の値段を確認するために必須の必須出力事項である。
【００２３】
さらに、図４に示すレシートの下部には、価格とは関係のない詳細な商品情報が印字されている。ここでは、各商品（ポテトサラダ、コールスローサラダ、マカロニサラダ）の賞味期限、及び商品に添加物が含まれている場合には含まれている添加物が印字されている。これらの印字データは、買った商品について消費者が従来よりも詳しく知ることを可能とするデータであって、商品の詳細出力事項である。
【００２４】
＜本実施形態の計量レジスターの特徴＞
上記のように、計量レジスター１から印字発行されるレシートは、価格関連の必須出力事項とは別に、詳細出力事項が印字されたものとなっている。したがって、消費者は、従来からある必須出力事項の他に、各商品の賞味期限や添加物といった詳細出力事項を確認することができる。
【００２５】
そして、ここでは、価格関連の必須出力事項及び詳細出力事項のそれぞれをまとめ、詳細出力事項を必須出力事項の後方に印字させている。このため、買った商品名やその価格、合計金額だけを確認したい人は、必須出力事項が印字されている場所だけを見れば良く、詳細出力事項の印字されている部分までは見る必要がない。すなわち、価格等の必須出力事項と価格と関係のない詳細出力事項とが混在して出力されている場合には、全出力内容（印字内容）から必須出力事項のみを拾い上げて確認作業をしたり全出力内容を見なければならないという面倒が起こるが、ここでは詳細出力事項が必須出力事項の後方の別の位置に印字されているため、価格等の必須出力事項のみを容易に確認することができる。
【００２６】
また、詳細出力事項についても、消費者は価格とは別の観点から確認作業を行うことが多く、必須出力事項と印字位置が異なっていることは消費者にとって便宜となる。
【００２７】
［第２実施形態］
上記第１実施形態では、詳細出力事項の印字方法として商品毎にデータ（情報）を印字させる方法を採っているが、共通のデータを持つ商品をグループ化して、グループ毎にデータを印字させる方法を採ってもよい。
【００２８】
例えば、図５に示すようなレシートが発行されるように制御を行ってもよい。このレシートの発行に際して、制御部４０は、各商品（神戸牛ステーキ、国産牛ロース切り落とし、国産牛モモ薄切り、国産牛肩薄切り、国産牛バラ焼肉用）を共通の賞味期限を有するという条件でグループ分けする。そして、詳細出力事項の欄の印字を、賞味期限の早い順に、グループ毎に行う。このように印字されたレシートの詳細出力事項（賞味期限）の欄を見る消費者は、どの日がどの商品（精肉）の賞味期限であるのかを一目で把握できるようになる。また、このレシートを冷蔵庫に貼っておけば、冷蔵庫を開けるときに賞味期限が切れている（あるいは切れそうな）商品を容易に確認することができる。
【００２９】
［第３実施形態］
上記各実施形態では、必須出力事項とは別に賞味期限や添加物といった詳細出力事項をレシートに印字させる制御を行っているが、これに代えて、あるいはこれに加えて、商品の原産地、保存方法、材料、遺伝子組み換えの有無、食品加工の有無、有機農法の有無などの詳細出力事項を印字させる制御を行わせることもできる。
【００３０】
例えば、原産地や遺伝子組み換えの有無が詳細出力事項としてレシートに印字されるようにして、消費者に図６に示すようなレシートを提供することも可能である。このレシートの発行に際して、制御部４０は、各商品（神戸牛ステーキ、国産牛ロース切り落とし、国産牛モモ薄切り、国産牛肩薄切り、国産牛バラ焼肉用）を共通の原産地を有するという条件でグループ分けする。そして、詳細出力事項の欄の印字を、原産地名でくくって、グループ毎に行う。さらに、商品の中に遺伝子組み換え商品が含まれているときには、その商品名を遺伝子組み換え商品の欄に印字する。このように印字されたレシートの詳細出力事項の欄を見る消費者は、どの精肉（商品）がどの産地で作られたものであるのかを一目で把握できるようになる。また、遺伝子組み換え商品を買っているか否かについても、一目で把握することができるようになる。
【００３１】
［第４実施形態］
レシートに印字させる商品情報が多いほど消費者が受け取ることのできる情報量が増えるが、レシートの適正な長さが物理的に限られており、また多量の情報が印字されているとレシートが見づらくなるため、レシートに印字量が多い商品情報を掲載することは現実的ではない。
【００３２】
そこで、レシートの印字の簡潔性を確保しつつ、たくさんの商品情報や店舗情報を望む消費者に対して情報を提供するために、図７や図８に示すように、所定の情報を公開しているインターネットのホームページのアドレスが掲載されたレシートを発行することが考えられる。
【００３３】
図７は、サラダ等のお総菜を購入する消費者に対して発行されるレシートであるが、その店舗における特売情報の詳細をインターネットで公開している場合には、そのホームページのアドレスＡをレシートに印字することが有効である。このレシートを持ち帰った消費者は、興味を持った場合には、インターネットを介してその店舗が公開しているホームページにアクセスすることができる。
【００３４】
また、図８は、精肉を購入する消費者に対して発行されるレシートであるが、消費者はその精肉を使った料理（肉じゃが）の作り方がインターネットで公開されていることを把握でき、興味を持った場合には、そのホームページにアクセスすることができる。
【００３５】
なお、レシートではなくラベルを発行する装置においても、そのラベルにインターネットのアドレスを掲載するようにしてやれば、ラベルを貼付する商品の調理方法をインターネット上で示したり、関連商品の特売情報をインターネット上で示したりすることができ、消費者に便宜となる。
【００３６】
［他の実施形態］
本発明は、上記各実施形態の計量レジスター１のようなレシートを発行する装置の他、レシートに印字するような内容を装置の表示画面だけに出力する装置や、客の電子機器の表示画面に出力するような装置にも適用することができる。また、レシートではなくラベルを発行する装置に対しても、本発明の適用が可能である。さらに、後にデータを取りだして見ることができるようにデータ記憶装置にデータを出力する機能を持った装置に対しても、本発明を適用することができる。
【００３７】
【発明の効果】
本発明では、商品特定データや商品価格データといった必須出力事項とは別に、詳細出力事項を同じレシートに印字させる制御を行い、さらに詳細出力事項を必須出力事項とは異なる位置に、賞味期限の早い順に共通の賞味期限を有するグループ毎に印字させているため、出力を見る人は、必須出力事項の他に詳細出力事項を確認することができるとともに、必須出力事項だけを確認したい場合には詳細出力事項までは見る必要がない。また、詳細出力事項についても、人は必須出力事項とは別の観点から確認作業を行うことが多く、必須出力事項と出力位置が異なっていることは見る人にとって便宜である。
【００３８】
このように、本発明のレジスターは、必須の商品情報である必須出力事項に加えて詳細出力事項を出力し、且つその出力内容が見やすいものとなる。
【図面の簡単な説明】
【図１】  本発明の一実施形態に係る計量レジスターの外観図。
【図２】  計量レジスターの制御ブロック図
【図３】  表示画面の一表示例。
【図４】  レシートの一印字例。
【図５】  第２実施形態のレシートの一印字例。
【図６】  第３実施形態のレシートの一印字例。
【図７】  第４実施形態のレシートの一印字例。
【図８】  第４実施形態のレシートの一印字例。
【符号の説明】
１    レジスター（商品情報出力装置）
４０    制御部
５０    計量部
６０    レシート印字発行部（出力部）
【図１】
0004351779.tif 000002
【図２】
0004351779.tif 000003
【図３】
0004351779.tif 000004
【図４】
0004351779.tif 000005
【図５】
0004351779.tif 000006
【図６】
0004351779.tif 000007
【図７】
0004351779.tif 000008
【図８】
0004351779.tif 000009